(57)【要約】 【課題】マイナスイオンを発生させる物質を１種類混入させるだけで、電気や熱、外部からの力を加えなくても容易にマイナスイオンを自然発生させることができ、混合の手間が少なくてすみ、かつ安価にできる印刷液およびその印刷液を使用した印刷物を提供する。【解決手段】印刷液１を、希土類元素を含む鉱物の微粉末３Ｂを印刷インキ３Ａに混入させて構成し、電気や熱、外部からの力を加えなくても、希土類元素を含む鉱物の微粉末３Ｂから容易に、かつ、常時マイナスイオンを自然発生させるようにした。【選択図】  図１
2005281572.tif 000002
【特許請求の範囲】
【請求項１】
マイナスイオンを発生する印刷液であって、
希土類元素を含む鉱物の微粉末を印刷インキに混入させたことを特徴とする印刷液。
【請求項２】
請求項１に記載の印刷液において、
前記希土類元素を含む鉱物の微粉末が略１重量％〜１０重量％含まれていることを特徴とする印刷液。
【請求項３】
請求項１または請求項２に記載の印刷液において、
前記希土類元素を含む鉱物の微粉末が略１０ミクロン以下の大きさに形成されていることを特徴とする印刷液。
【請求項４】
請求項１ないし請求項３のいずれかに記載の印刷液を被印刷体に印刷して形成されていることを特徴とする印刷物。
【請求項５】
請求項４に記載の印刷物において、前記被印刷体が既存の印刷部材であることを特徴とする印刷物。
【発明の詳細な説明】
【技術分野】
【０００１】
本発明は、電気、外部からの力、熱等を加えずにマイナスイオンを常時自然発生させることができる印刷液およびその印刷液を使用した印刷物に関する。
【背景技術】
【０００２】
近年、マイナスイオンについての研究が活発となっている。そして、マイナスイオンの多い環境が、身体の酸化を防ぎ、抵抗力を増加させ、また、自律神経の調整作用等によい効果が得られる等、健康によいとの理由から、電気、外部からの力、熱等を加えてマイナスイオンを発生させる各種の器具が開発、販売されている。
【０００３】
ここで、マイナスイオンについて簡単に説明すると、空気中の気体内には、負または正に帯電した微粒子が存在し、この微粒子がイオンと呼ばれている。イオンの電荷の符号は正負あり、正の電荷をもったものが正イオン（プラスイオン）負の電荷をもったものが負イオン（マイナスイオン）である。
【０００４】
このようなマイナスイオン発生の一例として、自然界においては、気体内で水がその表面積を変えるとき、例えば、水滴がさらに小さな水滴に分裂するとき、分裂した水滴はともに正の電気を帯び、周りの空気は負の電気を帯びている、ということがレナード効果として知られている。その他、特に、森林、温泉の浴室等にも多いことが知られている。
また、希土類元素を含む鉱物は自然状態でもマイナスイオンを発生することが知られている。
【０００５】
マイナスイオンの存在を実証するものとして、実際に、奥日光の竜頭の滝周辺で測定した結果、滝壺では空気１立方センチあたり４０,０００〜６０,０００個、戦場ヶ原では空気１立方センチあたり４,０００〜１０,０００個、そして、温泉の浴室内では空気１立方センチあたり略４,０００〜１０,０００個を計測することができる。
【０００６】
その一方で、人工的にマイナスイオンを発生させることが行われている。一例として、トルマリンを使用する方法が知られている。トルマリンは、電気石ともいわれ、マイナスイオンを発生するものとして知られているが、そのままの状態ではマイナスイオンを発生しない。電気的ショック等の衝撃や、擦る等の、外部からの力を加えることで一時的に大量のマイナスイオンを発生させるが、発生したマイナスイオンの寿命は短く、わずかに４０秒〜５０秒ほどで消えてしまう。
【０００７】
そのため、従来、常時マイナスイオンが発生するように、トルマリンの粉末と、イオンセラミック粉末とを混合させたマイナスイオン生成物質を使用して印刷層を形成し、この印刷層を用いることで、摩擦や温度変化がなくても、常時マイナスイオンを発生させようとした転写シートが知られている（例えば、特許文献１参照）。
この転写シートでは、イオンセラミック粉末が、ジルコンの粉末を主成分とし、これにレアアース鉱物の粉末を混合して形成されている。そして、レアアース鉱物は、ジルコンによる水のイオン化（マイナスイオンの生成）を促進するために用いられている。
【０００８】
【特許文献１】特開２００３−１１８２９６号公報
【発明の開示】
【発明が解決しようとする課題】
【０００９】
しかし、特許文献１では、マイナスイオン生成物質が、トルマリンの粉末と、イオンセラミック粉末とを混合させて形成され、さらに、イオンセラミック粉末は、ジルコンの粉末を主成分とし、これにレアアース鉱物の粉末を混合して形成されているので、マイナスイオンを常時発生させるために、多くの種類の部材が必要になるという課題がある。
また、マイナスイオン生成物質を形成するために、多くの種類の粉末が必要となるためコスト高となり、さらに、多くの種類の粉末を混合しなければならないため、各粉末の分量の調整や、混合作業等、面倒で多くの手間がかかるという課題もある。
【００１０】
本発明の目的は、マイナスイオンを発生させる物質を１種類混入させるだけで、電気や熱、外部からの力を加えなくても容易にマイナスイオンを自然発生させることができ、混合の手間が少なくてすみ、かつ安価にできる印刷液およびその印刷液を使用した印刷物を提供することである。
【課題を解決するための手段】
【００１１】
本発明の印刷液は、マイナスイオンを発生する印刷液であって、希土類元素を含む鉱物の微粉末を印刷インキに混入させたことを特徴とする。
【００１２】
この発明によれば、マイナスイオンを自然状態でも発生する希土類元素を含む鉱物の微粉末を印刷インキに混入した印刷液となっているので、電気や熱、外部からの力を加えなくても印刷液から容易にマイナスイオンを発生させることができる。従って、マイナスイオンを発生させる物質が１種類ですみ、混合の手間が少なくてすみ、かつ安価にできる。
また、希土類元素を含む鉱物の微粉末を印刷インキに混入させてあるので、印刷液によりマイナスイオンを常時、かつ、経時変化なく、微粉末からの放射がなくなるまで半永久的に放出させることができる。
この発明において、希土類元素を含む鉱物として、例えば、モナズ石、イットリア石、タレン石、バストネサイト、ゼノタイム、ベタホ石、フェルグソン石、サマルスキー石、ユークセン石、コルンブ石、タンタル石等が挙げられる。
【００１３】
本発明では、請求項１に記載の印刷液において、前記希土類元素を含む鉱物の微粉末が略１重量％〜１０重量％含まれている構成が好ましい。
この発明では、微粉末の分量を変えることでマイナスイオンの発生量を調整することができる。例えば、微粉末の混入率を変えることによって、１立方センチあたり５,０００個〜１０,０００個の発生量とすることができる。そのため、使用する目的、使用する空間の広さに対応させて、印刷液を印刷するペーパー等、被印刷体の大きさを自由に設定することができ、利用価値が大きなものとなる。
【００１４】
本発明では、請求項１または請求項２に記載の印刷液において、前記希土類元素を含む鉱物の微粉末が略１０ミクロン以下の大きさに形成されている構成が好ましい。
この発明では、微粉末が略１０ミクロン以下の大きさとなっているので、印刷液を被印刷体に印刷した場合でも、被印刷体の表面の凹凸がほとんど目立たず、被印刷体の表面の平滑性が損なわれることがない。
【００１５】
本発明の印刷物は、請求項１ないし請求項３のいずれかに記載の印刷液を被印刷体に印刷して形成されていることを特徴とする。
この発明では、印刷物から常時マイナスイオンが発生されるので、印刷物を、例えば、病院あるいは病室の壁や天井、子供部屋、事務所、トイレ、バスや乗用車、トラック等の車内、冷蔵庫、潜水艦内、等、あらゆる場所に、置くだけ、貼るだけで使用することができ、環境の良化や健康の維持のために役立てることができる。
この発明において、印刷液を被印刷体に印刷する印刷形式としてはスクリーン印刷によることが好ましいが、希土類元素を含む鉱物の微粉末の大きさを、例えば１ミクロン程度に形成する等して工夫して、グラビア印刷によって印刷してもよい。
【００１６】
本発明では、請求項４に記載の印刷物において、前記被印刷体が既存の印刷部材である構成が好ましい。
この発明では、既存の印刷部材上に後から印刷できる、つまりオーバープリントできるので、例えば、既存の自分の好きな写真やイラスト等から常時マイナスイオンが発生するように印刷することができる。例えば、旅行等で訪れた土地の山や川、海等の写真、ミッキーマウス等の人気キャラクターのイラストが描かれたポスター、カレンダー等に後から印刷することができる。また、スクリーン印刷によって印刷するようにすれば、既存の印刷部材において任意の部分からマイナスイオンが発生するように、その部分にのみ印刷することができるので、利用範囲が広がる。
【００１７】
この発明において、既存の印刷部材とは、ポスター、カレンダー等のように既に印刷されたものに限らない。写真や、イラストが所定の方法で描かれたペーパー、フィルム、ガラス等、熱を加えて絵柄や文字が貼り付けられた布地、絵柄等が焼き付けられた陶磁器等を含むものである。
【発明を実施するための最良の形態】
【００１８】
以下、本発明の実施形態を図面に基づいて説明する。
図１には、本実施形態の印刷物１が示されている。
印刷物１は、被印刷体としての既存の印刷部材２に、自然状態でも常時マイナスイオンを発生可能な印刷液３を用いて印刷されたものであり、例えばスクリーン印刷によって印刷されている。
【００１９】
既存の印刷部材２としては、前述のように、既に印刷されたポスター、カレンダー、写真や、イラストが描かれた紙、フィルム、ガラス等、熱を加えて絵柄や文字を描いた部材が貼り付けられた布地、絵柄等が焼き付けられた陶磁器等が挙げられる。
そして、本実施形態では、既存の印刷部材２にさらに印刷する、つまりオーバープリントするものである。この印刷は、スクリーン印刷によって行うため、全部あるいは任意の部位のみをオーバープリントできるようになっている。
例えば、ミッキーマウス等の人気キャラクターのイラストが描かれた例えばＡ４サイズの紙の上から、ミッキーマウスの体全体からマイナスイオンが発生するように、後述するスクリーンメッシュ１１において、ミッキーマウスの部分にのみ印刷液３を刷り込んで印刷することができる。
【００２０】
前記印刷液３は、印刷インキとしてのシルクスクリーン用水性インキ３Ａと、自然状態でも常時マイナスイオンを発生する希土類元素を含む鉱物の微粉末（以下、単に微粉末という）３Ｂとを混合して形成されている。そのため、印刷液３から自然状態でも常時マイナスイオンが発生されるようになっている。
ここで、シルクスクリーン用の印刷インキとしては、油性インキと、水性インキとがあるが、本実施形態では、前述のように、印刷液３からマイナスイオンを発生させるように形成されているため、微粉末３Ｂから発生するマイナスイオンが空気中へ放出されやすいように水性インキ３Ａが使用されている。
ここで、仮に油性インキを使用することも可能であるが、油性インキだと、微粉末３Ｂの表面が油膜で覆われた状態となり、マイナスイオンが空気中へ放出されにくくなる。
【００２１】
シルクスクリーン用水性インキ３Ａは、色材、ビヒクル、溶剤、補助材を含み構成されている。
ビヒクルは、顔料の色の要素を版から被印刷体、つまり既存の印刷部材２上に移動させ、そこに固定させて色の皮膜を作る液状物質である。微粉末３Ｂは、このビヒクルによって乾燥固着されるので、表面を拭いたり、洗ったりしても簡単には取れないようになっている。
補助材は、版からポスター２上に水性インキ３Ｂを移動させるとき、その水性インキ３Ｂを運びやすく、かつ、最適の状態で印刷できるように条件を整えるために使用されている。具体的には、水性インキ３Ｂの調子や乾燥性、粘度の調整等、種類に応じて使い分けされている。
【００２２】
溶剤は、樹脂の一部を溶解させ、それによって印刷適正や、粘度、乾燥、蒸発速度等を調整する。
なお、本実施形態の水性インキ３Ｂのうち、既存の印刷部材２が、例えば写真である場合、その写真の画面を鮮明に維持するために無色タイプの水性インキが用いられる。
また、スクリーン印刷で、水性インキ３Ｂのうち水性色インキを用いて、１色〜複数色の印刷を行うこともできる。その際には、最後に印刷する色インキに、前記微粉末３Ｂを混入することが好ましい。
【００２３】
微粉末３Ｂは、その粒度がほぼ１０ミクロン以下に形成されたものが使用されており、印刷液３全体の略１重量％〜１０重量％含まれている。
ここで、１重量％以下の場合、単位面積あたりのマイナスイオンの発生量が少なくなり、また、１０重量％以上である場合、単位面積あたりのマイナスイオンの発生量は多くなるが、微粉末３Ｂは高価格なので、出来上がった印刷物１がコスト高のものとなる。
もちろん、微粉末３Ｂの量は１重量％〜１０重量％に限定されるものではない。
【００２４】
以上の印刷物１は、図２に示すように、スクリーン印刷により作成される。
すなわち、スクリーン印刷はスクリーン印刷用印刷具１０を使用して行われ、この印刷具１０は、スクリーンメッシュ１１が張られた版枠１２、スクイージ１３とを含み構成されている。
スクリーンメッシュ１１は、絹またはナイロン、テトロン等で形成されている。なお、メッシュとは、１インチに織り込まれる糸の数の本数をいう。
【００２５】
版枠１２は、アルミニウムまたは木製のものが使用され、四角枠に形成されている。
スクイージ１３は、例えばウレタン製のものが使用され、スクリーンメッシュ１１上の前記水性インキ３Ａを所定圧で押して移動させて刷り込んでいくものである。
【００２６】
印刷液１を既存の印刷部材２へ刷り込んでいく方法を説明すると、まず、所定の載置台２０の上に版枠１２をセットするとともに、版枠１２を載置台２０に対して開いておいて、載置台２０の上に既存の印刷部材２を載せた後、版枠１２を閉じる。
次いで、スクリーンメッシュ１１上に所定量の印刷液３を盛り、スクイージ１３に適度な圧力をかけながらスクリーンメッシュ１１上を移動させて、印刷液３を印刷部材２に刷り込んでいく。
印刷が終了したら、版枠１２を開き、印刷部材２取り出して所定の位置に保管し、蒸発乾燥等により乾燥させる。なお、過熱により乾燥させてもよい。
【００２７】
微粉末３Ｂを含む印刷液３を使用して印刷された既存の印刷部材２は、どのような場所に置いたり貼ったりしてもよい。例えば、室内等に貼った場合、湿度を４０〜６０％に維持すれば、マイナスイオンの発生量および保持率が最良となる。
【００２８】
以上のような本実施形態によれば、次のような効果が得られる。
（１）マイナスイオンを自然状態で発生する微粉末３Ｂがシルクスクリーン用水性インキ３Ａに混入されているので、電気や熱、外部からの力等を加えなくても容易にマイナスイオンを自然発生させることができる。従って、マイナスイオンを発生させる物質が１種類ですむので、混合の手間が少なくてすみ、かつ安価にできる。
【００２９】
（２）シルクスクリーン用水性インキ３Ａに混入されている微粉末３Ｂは、自然状態でもマイナスイオンを常時発生するものであるため、例えば既存の印刷部材２を部屋等に飾っておけば、印刷部材２により、マイナスイオンを常時、かつ、経時変化なく、微粉末３Ｂからの放射がなくなるまで半永久的に放出させることができる。
【００３０】
（３）シルクスクリーン用水性インキ３Ａに混入させる微粉末３Ｂは、その分量を変えることができるので、マイナスイオンの発生量を調整することができる。例えば、微粉末３Ｂの混入率を変えることによって、１立方センチあたり５,０００個〜１０,０００個の発生量とすることができる。そのため、使用する目的、使用する空間の広さに対応させて、既存の印刷部材２の大きさを自由に設定することができ、利用価値が大きなものとなる。
【００３１】
（４）微粉末３Ｂが略１０ミクロン以下の大きさとなっているので、印刷液１を既存の印刷部材２に印刷した場合でも、印刷部材２の表面に凹凸が生じることはほとんどなく、印刷部材２の表面の平滑性が損なわれることがない。
【００３２】
（５）既存の印刷部材２における表面の微粉末３Ｂから常時マイナスイオンが発生するので、この既存の印刷部材２を、例えば、病院あるいは病室の壁や天井、子供部屋、事務所、トイレ、バスや乗用車、トラック等の車内、冷蔵庫、潜水艦内、等、あらゆる場所に、置くだけ、貼るだけで使用することができる。その結果、それらの場所をマイナスイオンで充満させることができ、風景画であれば視覚的にも癒し効果を得ることができ、環境の良化や健康の維持のために役立てることができる快適な空間とすることができる。
【００３３】
（６）スクリーン印刷により印刷されるので、既存の印刷部材２の全部あるいは任意の部位のみをオーバープリントすることができる。そのため、例えば、ミッキーマウス等の人気キャラクターのイラストが描かれた例えばＡ４サイズのポスターの、ミッキーマウスの体の部分にのみオーバープリントすることで、変化に富んだポスターとすることができ、これにより、利用範囲が広がるとともに、利用価値が広がる。
【００３４】
なお、本発明は前述の実施形態に限定されるものではなく、本発明の目的を達成できる範囲での変形、改良等は本発明に含まれるものである。
例えば、前記実施形態では、被印刷体として既存の印刷部材２が使用されているが、これに限らない。印刷やイラスト等が行われていない紙、木、金属、樹脂、ガラス、陶磁器、壁仕上げ材、フィルター、布、皮革等を被印刷体として使用し、それらに直接印刷液３を刷り込んで印刷してもよい。
【実施例】
【００３５】
本実施形態の印刷液１を被印刷体である印刷された既存の印刷部材２に、スクリーン印刷により印刷した。そして、半年ほど経過した例えばイラストが描かれたＡ６サイズの既存の印刷部材２を、空気イオンカウンター（アンデス電気株式会社製）で測定したところ、１立方センチあたり５,０００個前後のマイナスイオンを計測することができた。また、Ａ４サイズの既存の印刷部材２では、１立方センチあたり１５,０００個前後のマイナスイオンを計測することができた。
これらの数値は、滝の水が勢いよく岩にぶつかった衝撃で発生するマイナスイオンの数値に近く、従って、既存の印刷部材２を置いたり、貼ったりしてある近辺では、滝壺の付近で感じられる爽やかな気持ちになれる。
【比較例】
【００３６】
これに対して、例えば東京の家庭の室内で測定したところ、観葉樹等が置かれていても、１立方センチあたり１００〜３００個程度のマイナスイオンを計測した。
【産業上の利用可能性】
【００３７】
本発明は、オーバープリントされマイナスイオンを発生する既存の印刷部材や、直接印刷されマイナスイオンを発生する紙、布、金属等を、健康維持や消臭、野菜保管等のために、病院、ホテルの客室、プラスイオンや匂いの発生する場所等に置いたり、貼ったりして利用できる。
【図面の簡単な説明】
【００３８】
【図１】本発明にかかる印刷物の実施形態を示す縦断面図。
【図２】前記実施形態の印刷物を作成するシルクスクリーン印刷の概略構成図。
【符号の説明】
【００３９】
１…印刷物
２…被印刷体としての既存の印刷部材
３…印刷液
３Ａ…印刷インキとしてのシルクスクリーン用水性液
３Ｂ…希土類元素を含む鉱物の微粉末
１０…スクリーン印刷用印刷具
１１…スクリーンメッシュ
１２…版枠
１３…スクイージ
【図１】
2005281572.tif 000003
【図２】
2005281572.tif 000004